(57)【要約】      （修正有）【課題】通風路から栽培容器に向けて一定量の空気を流すことができる栽培ベンチを提供する。【解決手段】植物を栽培する栽培ベンチ１であって、上方に開口し内部に培土が収容される栽培容器２と、栽培容器２を下方から支持し、かつ栽培容器２の長手方向に延びる通風路４が一体に形成されている支持部３と、通風路４と栽培容器２の開口とに連通する通気管５と、を備える。【選択図】図７
2020058347.tif 000002
【特許請求の範囲】
【請求項１】
植物を栽培する栽培ベンチであって、
上方に開口し内部に培土が収容される栽培容器と、
前記栽培容器を下方から支持し、かつ前記栽培容器の長手方向に延びる通風路が一体に形成されている支持部と、
前記通風路と前記栽培容器の開口とに連通する通気管と、を備える、栽培ベンチ。
【請求項２】
前記通風路は、前記長手方向に延びるメイン通風部と、前記メイン通風部の上方に隣接して設けられて前記通気管に連通するバッファ部と、を有する、請求項１に記載の栽培ベンチ。
【請求項３】
前記長手方向に垂直な断面において、前記バッファ部が前記通気管に連通する連通部の幅は、前記メイン通風部の幅よりも狭い、請求項２に記載の栽培ベンチ。
【請求項４】
前記長手方向に垂直な断面において、前記バッファ部は、前記通気管に連通する連通部に向かってテーパ状に狭くなる、請求項２又は３に記載の栽培ベンチ。
【請求項５】
前記支持部の外側面には、前記長手方向に延びる凹部が形成されている、請求項１〜４の何れかに記載の栽培ベンチ。
【請求項６】
前記栽培容器の内底面には、幅方向に延びる傾斜溝が複数形成されている、請求項１〜５の何れかに記載の栽培ベンチ。
【請求項７】
前記栽培容器の上部には、幅方向の外側に向かって突出し、果梗を下方から受け止め可能な果梗受け部が設けられている、請求項１〜６の何れかに記載の栽培ベンチ。
【請求項８】
前記栽培容器の上部は、前記支持部の上部により幅方向外側から覆われており、
前記果梗受け部は、前記支持部の上部に対して着脱自在に取り付けられる、請求項７に記載の栽培ベンチ。
【請求項９】
前記支持部は、上部支持部材と、前記上部支持部材に脱着可能な下部支持部材とを備え、
前記通風路は、前記上部支持部材と前記下部支持部材とで囲まれた空間である、請求項１に記載の栽培ベンチ。
【請求項１０】
前記支持部は、被掛止部材に掛止される掛止部を備える、請求項１に記載の栽培ベンチ。
【請求項１１】
前記通気管は、上下方向に延びて前記栽培容器の開口に連通する第１通気管と、上下方向に対して傾斜する方向に延びて前記第１通気管と前記通風路とに連通する第２通気管と、を備える、請求項１に記載の栽培ベンチ。
【発明の詳細な説明】
【技術分野】
【０００１】
本発明は、植物を栽培するための栽培ベンチに関する。
【背景技術】
【０００２】
イチゴの温室内栽培において、ハウス全体の温度管理を行っても温度斑が生じ、イチゴ苗の生育に支障をきたすことがある。そのため、苗の周辺部を局所的に冷却又は加温することで、イチゴ苗の生育を促すことがある。下記特許文献１には、高設ベンチ（架台）の上部にイチゴの苗が植えられた鉢（栽培容器）を設置し、加熱又は冷却された空気を導入するダクトを栽培容器の下に設けたイチゴ栽培用の空調システムが記載されている。
【先行技術文献】
【特許文献】
【０００３】
【特許文献１】特開２０１０−２２７０５３号公報
【発明の概要】
【発明が解決しようとする課題】
【０００４】
しかしながら、特許文献１の空調システムでは、栽培容器の下にダクトを設け、栽培容器を高設ベンチとともにフィルム部材で覆った構成であるため、空気の温度や流量（圧力）、流速等の影響でフィルム部材の形状が変化し、栽培容器に向けて一定量の空気を安定的に流すことが困難であった。
【０００５】
そこで、本発明は上記課題に鑑み、通風路から栽培容器に向けて一定量の空気を流すことができる栽培ベンチを提供することを目的とする。
【課題を解決するための手段】
【０００６】
本発明の栽培ベンチは、植物を栽培する栽培ベンチであって、上方に開口し内部に培土が収容される栽培容器と、
前記栽培容器を下方から支持し、かつ前記栽培容器の長手方向に延びる通風路が一体に形成されている支持部と、
前記通風路と前記栽培容器の開口とに連通する通気管と、を備えるものである。
【０００７】
本発明において、前記通風路は、前記長手方向に延びるメイン通風部と、前記メイン通風部の上方に隣接して設けられて前記通気管に連通するバッファ部と、を有するものでもよい。
【０００８】
本発明において、前記長手方向に垂直な断面において、前記バッファ部が前記通気管に連通する連通部の幅は、前記メイン通風部の幅よりも狭いものでもよい。
【０００９】
本発明において、前記長手方向に垂直な断面において、前記バッファ部は、前記通気管に連通する連通部に向かってテーパ状に狭くなるものでもよい。
【００１０】
本発明によれば、通風路と栽培容器の開口とに連通する通気管を設けることで、通風路から栽培容器に向けて一定量の空気を流すことができる。
【図面の簡単な説明】
【００１１】
【図１】第１実施形態に係る栽培ベンチを示す斜視図である。
【図２】第１実施形態に係る栽培ベンチを示す六面図である。
【図３】第１実施形態に係る栽培容器を示す六面図である。
【図４】図３に示す栽培容器の断面図である。
【図５】第１実施形態に係る支持部材を示す六面図である。
【図６】図５に示す支持部材の断面図である。
【図７】栽培ベンチの使用状態を示す図である。
【図８】栽培ベンチを用いたハウス内のレイアウト例を示す図である。
【図９】第２実施形態に係る栽培ベンチを示す斜視図である。
【図１０】第２実施形態に係る栽培容器を示す六面図である。
【図１１】図１０に示す栽培容器の断面図である。
【図１２】第２実施形態に係る第１上部支持部材を示す六面図である。
【図１３】図１２に示す第１上部支持部材の断面図である。
【図１４】栽培ベンチの使用状態を示す図である。
【発明を実施するための形態】
【００１２】
以下に、本発明の実施形態について図面を参照しながら説明する。
【００１３】
［第１実施形態］
図１及び図２は、第１実施形態に係る栽培ベンチ１を示している。栽培ベンチ１は、植物を栽培するためのものであり、栽培容器２と、栽培容器２を下方から支持する支持部３とを備えている。本実施形態では、イチゴを栽培する栽培ベンチ１を示しているが、植物の種類は特に限定されない。
【００１４】
栽培容器２は、上方に開口し内部に培土が収容される。栽培容器２は、平面視で一方向に長い長方形状をしており、長方形の長辺方向を長手方向Ｄ１、長方形の短辺方向を幅方向Ｄ２、長手方向Ｄ１及び幅方向Ｄ２に直交する方向を上下方向Ｄ３と称する。
【００１５】
栽培容器２の開口は、栽培容器２の長手方向Ｄ１に延びている。栽培容器２は、長手方向Ｄ１に直交する断面形状が略Ｕ字状に形成されている。栽培容器２の内底面の幅方向Ｄ２中央には、長手方向Ｄ１に延びる凹部２１が形成されており、この凹部２１には排水用の配管（ドレン管）が設置される。
【００１６】
また、栽培容器２の内底面は、凹部２１に向かって下方へ傾斜しており、この傾斜面２２には、幅方向Ｄ２に延びる傾斜溝２２１が複数形成されている。傾斜溝２２１を設けることで、ドレン管や凹部２１とドレン管の間から培土内へ酸素を取り込みやすくなり、植物の根張りを促進させることが出来る。
【００１７】
栽培容器２の内側面２３の下端部には、長手方向Ｄ１に延びるシート固定用溝２３１が形成されている。シート固定用溝２３１は、栽培容器２の内部に防水シートや防根シートを設置する際、これらのシートを固定するための固定部材（例えばＡＢＳ製のパイプ）が嵌め込まれる。
【００１８】
また、栽培容器２の内側面２３の上部には、長手方向Ｄ１に延びる目分量線２３２が形成されている。目分量線２３２は、栽培容器２の内部に培土が収容される際、培土の上限高さの目安とされる細溝である。目分量線２３２を設けることで、培土が目分量線２３２を超えて後述する排出口５ｂに侵入するのを防止できる。
【００１９】
栽培容器２の外側面２４の下部には、上下方向Ｄ３に延びる位置決め溝２４１が形成されている。位置決め溝２４１は、栽培容器２の外底面２５にて開口している。位置決め溝２４１は、栽培容器２の長手方向Ｄ１の中央部と両端部に設けられている。ただし、位置決め溝２４１は、例えば、栽培容器２の長手方向Ｄ１の両端部のみに設けてもよく、位置決め溝２４１の個数と配置は適宜設計可能である。
【００２０】
栽培容器２の外底面２５の幅方向Ｄ２中央には、長手方向Ｄ１に延びる凸部２６が形成されている。凸部２６の内側には凹部２１が配置されている。
【００２１】
栽培容器２の上端面２７は、幅方向Ｄ２に平行な平坦面となっている。栽培容器２の外側面２４の上端、すなわち外側面２４と上端面２７とで構成される角部には、面取り部２４２が形成されている。面取り部２４２は、後述する通気管５の一部を構成する。面取り部２４２は、外側面２４の上端の一部を略円弧状に面取りして形成されている。これにより、通気管５を通過する空気の圧力損失を減らすことができる。
【００２２】
栽培容器２の長手方向Ｄ１の両側端面２８，２９には、それぞれ係合凸部２８１と係合凹部２９１が形成されている。係合凸部２８１は、栽培容器２の側端面２８から長手方向Ｄ１に突出している。一方、係合凹部２９１は、栽培容器２の側端面２９に設けられ、他の栽培容器２に設けられた係合凸部２８１と係合可能である。複数の栽培容器２を長手方向Ｄ１に接続する場合、一方の栽培容器２の係合凸部２８１が他方の栽培容器２の係合凹部２９１と係合する。
【００２３】
支持部３は、第１支持部材３ａと第２支持部材３ｂとで構成されている。ただし、第１支持部材３ａと第２支持部材３ｂは同じ形状をしているため、ここでは第１支持部材３ａについて説明する。
【００２４】
第１支持部材３ａは、上下方向Ｄ３に立設される本体部３１を備える。本体部３１は、略矩形板状である。本体部３１の外側面３１ａの上端には、幅方向Ｄ２の外側に向かって膨む膨出部３１１が形成されている。膨出部３１１は、本体部３１の上端面３１ｂと滑らかに連続して形成されている。膨出部３１１を設けることで、イチゴの果梗が上端面３１ｂの角部で折れるのを防止し、さらに本体部３１の上端面３１ｂから垂れ下がったイチゴが外側面３１ａに接触するのを防止することができる。
【００２５】
本体部３１の外側面３１ａの上部には、長手方向Ｄ１に延びるマルチ固定用溝３１２（本発明の凹部に相当する）が形成されている。マルチ固定用溝３１２は、膨出部３１１の下方に設けられている。マルチ固定用溝３１２は、イチゴの苗の周囲をマルチフィルムで覆う際、マルチフィルムを固定するための固定部材（例えばＡＢＳ製のパイプ）が嵌め込まれる。マルチ固定用溝は、外側面３１ａの上部以外にも設けられてもよい。例えば、栽培ベンチ１の全体をマルチフィルムで覆う場合、外側面３１ａの中央部及び下部に設けられたマルチ固定用溝３１３，３１４の一方又は両方が用いられる。
【００２６】
本体部３１の内側面３１ｃには、幅方向Ｄ２に突出する第１突片部３２、第２突片部３３、及び第３突片部３４が形成されている。第１突片部３２は、第１支持部材３ａの長手方向Ｄ１に沿って延びる略矩形板状である。第１支持部材３ａと第２支持部材３ｂが組み合わされた状態で、第１支持部材３ａの第１突片部３２と第２支持部材３ｂの第１突片部３２は、突端部同士が接触する。第１突片部３２の突端部には、長手方向Ｄ１に沿って延びる突条部３２１と溝部３２２が形成されている。第１支持部材３ａの突条部３２１と第２支持部材３ｂの溝部３２２とが係合し、第１支持部材３ａの溝部３２２と第２支持部材３ｂの突条部３２１とが係合するように構成されている。
【００２７】
第２突片部３３は、第１突片部３２よりも上方に設けられている。第２突片部３３は、第１支持部材３ａの長手方向Ｄ１に沿って延びる略矩形板状である。ただし、第２突片部３３は、突端部に向かって厚みが薄くなるように、下面３３ａが上方へ傾斜している。第２突片部３３の本体部３１の内側面３１ｃからの突出量は、第１突片部３２の本体部３１の内側面３１ｃからの突出量よりも小さい。そのため、第１支持部材３ａと第２支持部材３ｂが組み合わされた状態で、第１支持部材３ａの第２突片部３３と第２支持部材３ｂの第２突片部３３は、突端部同士が非接触となり、両者の間には隙間が形成される。向かい合う第２突片部３３同士の隙間には、栽培容器２の凸部２６が配置される。
【００２８】
第３突片部３４は、本体部３１の上端に設けられている。第３突片部３４は、第１支持部材３ａの長手方向Ｄ１に沿って延びている。栽培容器２と第１支持部材３ａが組み合わされた状態で、第３突片部３４の下面は、栽培容器２の上端面２７に当接する。
【００２９】
第１支持部材３ａと第２支持部材３ｂが組み合わされた状態で、第１突片部３２と第２突片部３３で囲まれた空間は、長手方向Ｄ１に延びる通風路４を構成する。通風路４の上部は、栽培容器２の外底面２５及び凸部２６で構成される。通風路４には、冷風又は温風が流される。通風路４の詳細については後述する。
【００３０】
栽培容器２は、第１支持部材３ａの第２突片部３３と第２支持部材３ｂの第２突片部３３により下方から支持される。また、栽培容器２は、第１支持部材３ａの内側面３１ｃのうち第２突片部３３よりも上方の上部内側面３１ｄと、第２支持部材３ｂの内側面３１ｃのうち第２突片部３３よりも上方の上部内側面３１ｄとによって幅方向Ｄ２の両側から支持される。
【００３１】
第１支持部材３ａには、幅方向Ｄ２及び上下方向Ｄ３に連続して延びる通気溝３５が形成されている。通気溝３５は、長手方向Ｄ１に沿って複数形成されている。通気溝３５は、第２突片部３３の上面３３ｂに形成される第１溝部３５ａ、本体部３１の上部内側面３１ｄに形成される第２溝部３５ｂ、及び第３突片部３４の下面に形成される第３溝部３５ｃで構成されている。第１溝部３５ａは、第２突片部３３の突端部で開口している。また、第３溝部３５ｃは、第３突片部３４の突端部で開口している。
【００３２】
栽培容器２と第１支持部材３ａが組み合わされた状態で、通気溝３５は、栽培容器２の外底面２５、外側面２４、及び上端面２７との間で通気管５を構成する。第１溝部３５ａの開口は、通気管５の供給口５ａを構成し、第３溝部３５ｃの開口は、通気管５の排出口５ｂを構成する。通気管５は、通風路４及び栽培容器２の開口に連通している。
【００３３】
通気溝３５は、通気管５を通過する空気の圧力損失が出来る限り小さくなるように形成されている。具体的には、第１溝部３５ａと第２溝部３５ｂの連結部の溝底、及び第２溝部３５ｂと第３溝部３５ｃの連結部の溝底は、何れも曲面となっている。また、第１溝部３５ａの溝底は、開口へ向かって深くなるように曲面となっている（図６のＥ−Ｅ断面等を参照）。さらに、栽培容器２と第１支持部材３ａが組み合わされた状態で、栽培容器２の面取り部２４２は、通気溝３５に対向する位置に形成されており、通気管５を通過する空気の圧力損失を減らすことができる。
【００３４】
また、本体部３１の上部内側面３１ｄには、上下方向Ｄ３に延びる位置決め突起３６が形成されている。位置決め突起３６は、隣り合う通気溝３５同士の間に形成されている。栽培容器２と第１支持部材３ａが組み合わされた状態で、位置決め突起３６は、栽培容器２の位置決め溝２４１と対向する位置に形成されている。また、位置決め突起３６の断面形状は、栽培容器２の位置決め溝２４１の断面形状と略同じとなっている。
【００３５】
第１支持部材３ａの長手方向Ｄ１の両側端面には、それぞれ嵌合凸部３７と嵌合凹部３８が形成されている。嵌合凸部３７は、幅方向Ｄ２に延びる突起であり、嵌合凹部３８は、幅方向Ｄ２に延びる溝である。嵌合凸部３７は、第１突片部３２及び第２突片部３３の長手方向Ｄ１の一方の側端面から突出している。嵌合凹部３８は、第１突片部３２及び第２突片部３３の長手方向Ｄ１の他方の側端面に開口している。複数の第１支持部材３ａを長手方向Ｄ１に接続する場合、一方の第１支持部材３ａの嵌合凸部３７が他方の第１支持部材３ａの嵌合凹部３８に嵌合する。
【００３６】
栽培容器２及び支持部３は、それぞれ発泡スチロールで形成される。そのため、栽培容器２及び支持部３は、軽量であり、断熱性に優れる。
【００３７】
図７は、栽培ベンチ１の使用状態を示している。図８は、栽培ベンチ１を用いたハウス内のレイアウト例を示している。複数の栽培ベンチ１が接続されて使用される。栽培ベンチ１の通風路４には、空調機９からの冷風又は温風が供給される。空調機としては、ガスヒートポンプエアコン（ＧＨＰ）や電気モータヒートポンプエアコン、温風暖房を使用してもよい。また、空調機９と栽培ベンチ１の間にＣＯ２供給装置９１を設けてもよい。
【００３８】
栽培ベンチ１は、架台１０の上に載置される。架台１０は、パイプ材、アングル材等を組み合わせることにより構成される。架台１０が設置面に固定される。
【００３９】
栽培容器２の内部には培土が収容される。また、培土の上部には給水管が配置されている。栽培容器２の内底部には、防水シート（不図示）、ドレン管、防根シート（不図示）がこの順に設置される。防水シート及び防根シートは、シート固定用溝２３１に固定される。
【００４０】
栽培容器２は、通風路４が一体に形成されている支持部３により支持されている。すなわち、栽培容器２は、通風路４の上方に配置されている。通風路４の長手方向Ｄ１の末端部は閉塞されており、通風路４内を陽圧にすることで、通風路４に供給された空気は、栽培容器２の周囲に設けられた通気管５を介して栽培容器２の開口に供給される。通風路４の末端部は、フィルム、板状部材等で閉塞される。通気管５の排出口５ｂは、栽培容器２の開口の中央を向いており、排出口５ｂから排出された空気は、栽培容器２の開口の幅方向Ｄ２の中央部に送られる。これにより、イチゴの苗のクラウンを局所的に冷却又は加温することができる。また、支持部３は断熱性に優れるため、通風路４内での冷風又は温風の温度変化を低減できる。
【００４１】
栽培ベンチ１は、全体がマルチフィルム１１に覆われている。全体をマルチフィルム１１で覆うことで、紫外線による栽培ベンチ１の劣化を抑制できる。また、イチゴの苗の周囲をマルチフィルム１１で覆うことで、イチゴの苗のクラウンを効率よく冷却又は加温することができる。マルチフィルム１１は、マルチ固定用溝３１２，３１３，３１４に固定される。これにより、空気が支持部３の外側部から逃げるのを防止でき、イチゴの株元のマルチ穴から空気が無駄なく吐出されるようになり、効率よく株元に空気を供給することができる。さらに、マルチ固定用溝３１２，３１３，３１４を設けることで、マルチフィルム１１を容易に、かつ何度も固定、剥離することができるため、作業性が良好となる。また、栽培ベンチ１の上方に、苗を覆うように不図示のトンネルを設けてもよい。トンネルを設けることで、冷風や温風が逃げないため、局所的に冷却又は加温でき、少ないエネルギーで空調可能となる。
【００４２】
通風路４は、長手方向Ｄ１に延びるメイン通風部４１と、メイン通風部４１の上方に隣接して設けられて通気管５に連通するバッファ部４２と、を有する。
【００４３】
メイン通風部４１は、第１支持部材３ａの本体部３１の下部内側面３１ｅと、第２支持部材３ｂの本体部３１の下部内側面３１ｅとで挟まれた断面矩形状の空間である。
【００４４】
バッファ部４２は、第１支持部材３ａの第２突片部３３の下面３３ａと、第２支持部材３ｂの第２突片部３３の下面３３ａとで挟まれた断面台形状の空間である。前述のように第２突片部３３の下面３３ａは、第２突片部３３の突端部へ向かって上方に傾斜しており、バッファ部４２は、通気管５に連通する連通部４２ａに向かってテーパ状に狭くなっている。このように、バッファ部４２が通気管５に連通する連通部４２ａの幅方向Ｄ２の幅ｗ２は、メイン通風部４１の幅方向Ｄ２の幅ｗ１よりも狭くなっている。ここで、メイン通風部４１の幅方向Ｄ２の幅ｗ１は、メイン通風部４１の幅方向Ｄ２の最大幅で規定される。なお、本実施形態では、メイン通風部４１の断面形状が矩形となっているが、これに限定されず、メイン通風部４１の断面形状は円形や楕円形等、その他の形状でもよい。この場合、バッファ部４２が通気管５に連通する連通部４２ａの幅方向Ｄ２の幅は、メイン通風部４１の幅方向Ｄ２の最大幅よりも狭くなるように構成される。
【００４５】
次いで、バッファ部４２の作用効果について説明する。例えば、通風路４の断面を矩形や円形などの断面中心を通る水平線または垂直線に対して線対称となるような形状のメイン通風部４１のみで構成した場合、断面での流速分布も対称となり易く、流れ場は慣性力支配となり、通気管５のある方向への流れが誘起されにくくなる傾向にある。外部から冷風又は温風が供給される通風路４の入口付近は、静圧が大きいため通気管５の排出口５ｂから一定量の空気の流出が期待でき、また通風路４の末端付近では、慣性力が小さくなることと滞留とによって同じく通気管５の排出口５ｂから一定量の空気の流出が期待できる。慣性力による通気管５の排出口５ｂからの流量不足は、とくに通風路４の中央付近で現れる傾向が強い。これにより通風路４の長手方向Ｄ１（流れ方向）に複数設置された通気管５の排出口５ｂからの吐出流速にバラつきが生じる。
【００４６】
一方、通風路４がバッファ部４２を有することで、通風路４の中央付近においても通気管５の排出口５ｂからの流量不足が抑えられる。これは、バッファ部４２がバッファとなり、流速分布が矩形や円形などの形状に比べて非対称となり、通気管５近傍の流れ場が慣性力支配でなくなるためである。これにより通風路４の長手方向Ｄ１（流れ方向）における通気管５の排出口５ｂからの吐出流速の均一化を図ることができる。その結果、通風路４からすべての通気管５へ空気が流れやすくなる。なお、バッファ部４２の断面は、台形状に限定されず、例えばメイン通風部４１の断面より幅の狭い矩形状等でもよい。
【００４７】
バッファ部４２の作用効果を十分に発揮させる観点から、メイン通風部４１に対して、バッファ部４２の断面積比が少なくとも６：１よりも小さくすることが好ましい。バッファ部４２の断面積が大きいと、バッファとしての効果が得られにくくなる。
【００４８】
［他の実施形態］
前述の実施形態では、第１支持部材３ａ及び第２支持部材３ｂにおける第２突片部３３の下面３３ａの上端は、栽培容器２の最下端（凸部２６の最下端）と略同じ高さに位置しているが、これに限定されない。第１支持部材３ａ及び第２支持部材３ｂにおける第２突片部３３の下面３３ａの上端は、栽培容器２の最下端（凸部２６の最下端）よりも高い位置に位置することが好ましい。これにより、通風路４から通気管５へ空気が流れやすくなる。
【００４９】
［第２実施形態］
図９は、第２実施形態に係る栽培ベンチ１を示している。栽培ベンチ１は、植物を栽培するためのものであり、栽培容器７と、栽培容器７を下方から支持する支持部８とを備えている。
【００５０】
栽培容器７は、上方に開口し内部に培土が収容される。栽培容器７は、平面視で一方向に長い長方形状をしており、長方形の長辺方向を長手方向Ｄ１、長方形の短辺方向を幅方向Ｄ２、長手方向Ｄ１及び幅方向Ｄ２に直交する方向を上下方向Ｄ３と称する。
【００５１】
栽培容器７の開口は、栽培容器７の長手方向Ｄ１に延びている。栽培容器７は、長手方向Ｄ１に直交する断面形状が略Ｕ字状に形成されている。栽培容器７の内底面の幅方向Ｄ２中央には、長手方向Ｄ１に延びる凹部７１が形成されており、この凹部７１には排水用の配管（ドレン管）が設置される。
【００５２】
また、栽培容器７の内底面は、凹部７１に向かって下方へ傾斜しており、この傾斜面７２には、幅方向Ｄ２に延びる傾斜溝７２１が複数形成されている。傾斜溝７２１を設けることで、ドレン管や凹部７１とドレン管の間から培土内へ酸素を取り込みやすくなり、植物の根張りを促進させることが出来る。
【００５３】
栽培容器７の内側面７３の上部には、長手方向Ｄ１に延びる目分量線７３２が形成されている。目分量線７３２は、栽培容器７の内部に培土が収容される際、培土の上限高さの目安とされる細溝である。目分量線７３２を設けることで、培土が目分量線７３２を超えて後述する排出口５ｂに侵入するのを防止できる。
【００５４】
栽培容器７の外側面７４には、上下方向Ｄ３に延びる位置決め溝７４１が形成されている。位置決め溝７４１は、栽培容器７の外底面７５及び上端面７７にて開口している。位置決め溝７４１は、栽培容器７の長手方向Ｄ１の中央部と両端部に設けられている。ただし、位置決め溝７４１は、例えば、栽培容器７の長手方向Ｄ１の両端部のみに設けてもよく、位置決め溝７４１の個数と配置は適宜設計可能である。
【００５５】
栽培容器７の外底面７５は、上方へ向かって傾斜する傾斜部７５ａを有する。傾斜部７５ａは、後述する通気溝８５との間で通気管５を構成する。
【００５６】
栽培容器７の上端面７７は、幅方向Ｄ２に平行な平坦面となっている。栽培容器７の外側面７４の上端、すなわち外側面７４と上端面７７とで構成される角部には、面取り部７４２が形成されている。面取り部７４２は、後述する通気管５の一部を構成する。面取り部７４２は、外側面７４の上端の一部を略円弧状に面取りして形成されている。これにより、通気管５を通過する空気の圧力損失を減らすことができる。
【００５７】
栽培容器７の長手方向Ｄ１の両側端面７８，７９には、それぞれ係合凸部７８１と係合凹部７９１が形成されている。係合凸部７８１は、栽培容器７の側端面７８から長手方向Ｄ１に突出している。一方、係合凹部７９１は、栽培容器７の側端面７９に設けられ、他の栽培容器７に設けられた係合凸部７８１と係合可能である。複数の栽培容器７を長手方向Ｄ１に接続する場合、一方の栽培容器７の係合凸部７８１が他方の栽培容器７の係合凹部７９１と係合する。
【００５８】
支持部８は、第１上部支持部材８ａと、第２上部支持部材８ｂと、下部支持部材８ｃとを備えている。ただし、第１上部支持部材８ａと第２上部支持部材８ｂは同じ形状をしているため、ここでは第１上部支持部材８ａについて説明する。
【００５９】
第１上部支持部材８ａは、上下方向Ｄ３に立設される本体上部８１を備える。本体上部８１は、略矩形板状である。本体上部８１の外側面８１ａの上部には、長手方向Ｄ１に延びる嵌合溝８１１が形成されている。嵌合溝８１１は、開口ほど幅狭になるように形成されている。
【００６０】
本体上部８１の外側面８１ａの上部には、長手方向Ｄ１に延びるマルチ固定用溝８１２（本発明の凹部に相当する）が形成されている。マルチ固定用溝８１２は、嵌合溝８１１の下方に設けられている。マルチ固定用溝８１２は、イチゴの苗の周囲をマルチフィルムで覆う際、マルチフィルムを固定するための固定部材（例えばＡＢＳ製のパイプ）が嵌め込まれる。マルチ固定用溝は、外側面８１ａの上部以外にも設けられてもよい。例えば、栽培ベンチ１の全体をマルチフィルムで覆う場合、外側面８１ａの中央部及び下部に設けられたマルチ固定用溝８１３，８１４の一方又は両方が用いられる。
【００６１】
第１上部支持部材８ａは、上下方向Ｄ３に立設される本体下部８２を備える。本体下部８２は、略矩形板状である。本体下部８２は、本体上部８１に対してオフセットして設けられている。本体下部８２と本体上部８１との間の段差部８３は、後述する掛止部として機能する。本体下部８２の下端面には、係止突起８２１が形成されている。係止突起８２１は、先端ほど幅広となるように形成されている。
【００６２】
第１上部支持部材８ａは、段差部８３から幅方向Ｄ２に突出する突片部８４を備える。突片部８４は、第１上部支持部材８ａの長手方向Ｄ１に沿って延びる略矩形板状である。ただし、突片部８４は、突端部に向かって厚みが薄くなるように、上面８４ａが下方へ傾斜している。第１上部支持部材８ａと第２上部支持部材８ｂが組み合わされた状態で、第１上部支持部材８ａの突片部８４と第２上部支持部材８ｂの突片部８４は、突端部同士が非接触となり、両者の間には隙間が形成される。
【００６３】
第１上部支持部材８ａと第２上部支持部材８ｂが組み合わされた状態で、本体下部８２と突片部８４で囲まれた空間は、長手方向Ｄ１に延びる通風路４を構成する。通風路４の上部は、栽培容器７の外底面７５で構成される。通風路４の下部は、下部支持部材８ｃで構成される。通風路４には、冷風又は温風が流される。通風路４の詳細については後述する。
【００６４】
栽培容器７は、第１上部支持部材８ａの突片部８４と第２上部支持部材８ｂの突片部８４により下方から支持される。また、栽培容器７は、第１上部支持部材８ａの本体上部８１と第２上部支持部材８ｂの本体上部８１とにより幅方向Ｄ２の両側から支持される。
【００６５】
第１上部支持部材８ａには、幅方向Ｄ２及び上下方向Ｄ３に連続して延びる通気溝８５が形成されている。通気溝８５は、長手方向Ｄ１に沿って複数形成されている。通気溝８５は、本体上部８１の内側面８１ｃに形成される第１通気溝部８５ａ、及び突片部８４の上面８４ａに形成される第２通気溝部８５ｂで構成されている。第１通気溝部８５ａは、本体上部８１の上端面８１ｂで開口している。また、第２通気溝部８５ｂは、突片部８４の突端部で開口している。
【００６６】
栽培容器７と第１上部支持部材８ａが組み合わされた状態で、通気溝８５は、栽培容器７の外側面７４及び傾斜部７５ａとの間で通気管５を構成する。第２通気溝部８５ｂの開口は、通気管５の供給口５ａを構成し、第１通気溝部８５ａの開口は、通気管５の排出口５ｂを構成する。通気管５は、通風路４及び栽培容器７の開口に連通している。
【００６７】
通気溝８５は、通気管５を通過する空気の圧力損失が出来る限り小さくなるように形成されている。具体的には、第１通気溝部８５ａと第２通気溝部８５ｂの連結部の溝底は、曲面となっている。また、第２通気溝部８５ｂの溝底は、開口へ向かって深くなるように曲面となっている（図１３のＬ−Ｌ断面等を参照）。さらに、栽培容器７と第１上部支持部材８ａが組み合わされた状態で、栽培容器７の面取り部７４２は、通気溝８５に対向する位置に形成されており、通気管５を通過する空気の圧力損失を減らすことができる。
【００６８】
また、本体上部８１の内側面８１ｃには、上下方向Ｄ３に延びる位置決め突起８６が形成されている。栽培容器７と第１上部支持部材８ａが組み合わされた状態で、位置決め突起８６は、栽培容器７の位置決め溝７４１と対向する位置に形成されている。また、位置決め突起８６の断面形状は、栽培容器７の位置決め溝７４１の断面形状と略同じとなっている。
【００６９】
第１上部支持部材８ａの長手方向Ｄ１の両側端面には、それぞれ複数の嵌合凸部８７と複数の嵌合凹部８８が形成されている。嵌合凸部８７は、本体上部８１、本体下部８２、及び突片部８４の長手方向Ｄ１の一方の側端面から突出している。嵌合凹部８８は、本体上部８１、本体下部８２、及び突片部８４の長手方向Ｄ１の他方の側端面に開口している。複数の第１上部支持部材８ａを長手方向Ｄ１に接続する場合、一方の第１上部支持部材８ａの嵌合凸部８７が他方の第１上部支持部材８ａの嵌合凹部８８に嵌合する。
【００７０】
下部支持部材８ｃは、第１上部支持部材８ａと第２上部支持部材８ｂとともに通風路４を構成する。下部支持部材８ｃは、断面形状が略Ｕ字状に形成されている。
【００７１】
下部支持部材８ｃは、第１上部支持部材８ａと第２上部支持部材８ｂの下部に脱着可能に取り付けられる。下部支持部材８ｃを第１上部支持部材８ａと第２上部支持部材８ｂに対して着脱可能とすることで、支持部８のメンテナンス性が向上する。例えば、下部支持部材８ｃを取り外すことで、通気管５を通って通風路４に落下したゴミや通風路４に発生したカビ等を除去しやすい。
【００７２】
下部支持部材８ｃの上端面には、第１上部支持部材８ａ及び第２上部支持部材８ｂの係止突起８２１を係止する係止溝８２２が形成されている。係止溝８２２は、開口ほど幅狭になるように形成されている。
【００７３】
下部支持部材８ｃの長手方向Ｄ１の両側端面には、それぞれ一対の嵌合凸部８７と嵌合凹部８８が形成されている。複数の下部支持部材８ｃを長手方向Ｄ１に接続する場合、一方の下部支持部材８ｃの嵌合凸部８７が他方の下部支持部材８ｃの嵌合凹部８８に嵌合する。
【００７４】
支持部８は、果梗（果梗枝ともいう）を下方から受け止め可能な果梗受け部８ｄを備えていてもよい。果梗受け部８ｄは、栽培容器７の上部に、幅方向Ｄ２の外側へ向かって突出するように設けられる。果梗受け部８ｄの上面は、幅方向Ｄ２の外側へ向かうにつれて垂れ下がる形状をしている。
【００７５】
栽培容器７の上部は、第１上部支持部材８ａと第２上部支持部材８ｂの上部により幅方向外側から覆われており、果梗受け部８ｄは、第１上部支持部材８ａ及び第２上部支持部材８ｂの上部に対して着脱自在に取り付けられることが好ましい。果梗受け部８ｄの上面は、第１上部支持部材８ａと第２上部支持部材８ｂの上端面８１ｂと略同じ高さとなっている。果梗受け部８ｄを着脱可能とすることで、品種によって異なる果梗の長さに応じて、果梗受け部８ｄのサイズを変更したり、また、果梗受け部８ｄが不要の場合には果梗受け部８ｄを取り外したりすることができる。
【００７６】
果梗受け部８ｄの側面には、第１上部支持部材８ａ及び第２上部支持部材８ｂの嵌合溝８１１に嵌合する嵌合突起８２３が形成されている。嵌合突起８２３は、先端ほど幅広となるように形成されている。嵌合突起８２３を嵌合溝８１１に挿入することで、果梗受け部８ｄは第１上部支持部材８ａ及び第２上部支持部材８ｂに取り付けられる。なお、嵌合突起８２３と嵌合溝８１１との間にマルチフィルムを挟みこんで固定してもよい。これにより、マルチフィルムを容易に固定することができるだけでなく、空気の漏れを防ぐことができる。
【００７７】
栽培容器７及び支持部８は、それぞれ発泡スチロールで形成される。そのため、栽培容器７及び支持部８は、軽量であり、断熱性に優れる。
【００７８】
図１４は、栽培ベンチ１の使用状態を示している。栽培ベンチ１は、支持部８の段差部８３を被掛止部材としての架台１０に掛止することで、架台１０に吊り下げられた状態で配置される。栽培ベンチ１を架台１０に吊り下げる形態とすることで、第１上部支持部材８ａ及び第２上部支持部材８ｂの本体下部８２や下部支持部材８ｃの強度を高くする必要がないため、製造コストを抑えることができる。
【００７９】
架台１０は、パイプ材、アングル材等を組み合わせることにより構成される。架台１０には、幅方向Ｄ２に延びる補強バー１０ａや沈下防止バー１０ｂが設けられている。架台１０は設置面に固定される。
【００８０】
栽培容器７の内部には培土が収容される。また、培土の上部には給水管が配置されている。栽培容器７の内底部には、防水シート（不図示）、ドレン管、防根シート（不図示）がこの順に設置される。
【００８１】
栽培容器７は、通風路４が一体に形成されている支持部８により支持されている。すなわち、栽培容器７は、通風路４の上方に配置されている。通風路４の長手方向Ｄ１の末端部は閉塞されており、通風路４内を陽圧にすることで、通風路４に供給された空気は、栽培容器７の周囲に設けられた通気管５を介して栽培容器７の開口に供給される。通風路４の末端部は、フィルム、板状部材等で閉塞される。通気管５の排出口５ｂは、栽培容器７の開口の中央を向いており、排出口５ｂから排出された空気は、栽培容器７の開口の幅方向Ｄ２の中央部に送られる。これにより、イチゴの苗のクラウンを局所的に冷却又は加温することができる。また、支持部８は断熱性に優れるため、通風路４内での冷風又は温風の温度変化を低減できる。
【００８２】
通気管５は、上下方向Ｄ３に延びて栽培容器７の開口に連通する第１通気管５ｃと、上下方向Ｄ３に対して傾斜する方向に延びて第１通気管５ｃと通風路４とに連通する第２通気管５ｄと、を備えている。第１通気管５ｃは、第１上部支持部材８ａと第２上部支持部材８ｂに形成された第１通気溝部８５ａで構成され、第２通気管５ｄは、第１上部支持部材８ａと第２上部支持部材８ｂに形成された第２通気溝部８５ｂで構成される。通風路４に連通する第２通気管５ｄを上下方向Ｄ３に対して傾斜させることで、仮に排出口５ｂからゴミが侵入した場合にも、ゴミが通気管５を通って通風路４に落下しやすい。
【００８３】
通風路４は、長手方向Ｄ１に延びるメイン通風部４１と、メイン通風部４１の上方に隣接して設けられて通気管５に連通するバッファ部４２と、を有する。
【００８４】
メイン通風部４１は、第１上部支持部材８ａ及び第２上部支持部材８ｂの本体下部８２と、下部支持部材８ｃとで囲まれた断面矩形状の空間である。また、第２実施形態のバッファ部４２は、第１上部支持部材８ａの突片部８４と第２上部支持部材８ｂの突片部８４とで挟まれた断面矩形状の空間である。
【００８５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【符号の説明】
【００８６】
１    栽培ベンチ
２    栽培容器
３    支持部
３ａ  第１支持部材
３ｂ  第２支持部材
４    通風路
４１    メイン通風部
４２    バッファ部
５    通気管
５ｃ  第１通気管
５ｄ  第２通気管
７    栽培容器
８    支持部
８ａ  第１上部支持部材
８ｂ  第２上部支持部材
８ｃ  下部支持部材
８ｄ  果梗受け部
Ｄ１    長手方向
Ｄ２    幅方向
【図１】
2020058347.tif 000003
【図２】
2020058347.tif 000004
【図３】
2020058347.tif 000005
【図４】
2020058347.tif 000006
【図５】
2020058347.tif 000007
【図６】
2020058347.tif 000008
【図７】
2020058347.tif 000009
【図８】
2020058347.tif 000010
【図９】
2020058347.tif 000011
【図１０】
2020058347.tif 000012
【図１１】
2020058347.tif 000013
【図１２】
2020058347.tif 000014
【図１３】
2020058347.tif 000015
【図１４】
2020058347.tif 000016